(57)【要約】【課題】本発明は、上記の従来の技術の問題点を解決し、ウォーキング、ジョギング、ランニング等の風を受ける着用シーンにおいて風の取り込み効果を高め、優れた冷却効果を有する受風冷却シート、衣服、外衣、鞄、靴および帽子を提供することにある。【解決手段】下記（Ａ）〜（Ｄ）を満たす受風冷却シート。（Ａ）受風冷却シートは受風側から受風した気流を冷却対象側に流す通風孔を有する。（Ｂ）受風面側から受風した気流を通風孔から通風させることにより、受風面とは反対の面側にある冷却対象を冷却する。（Ｃ）上記通風孔の開口部は、上記受風冷却シートの受風面側からみたとき、風上側に頂点、風下側に底辺を有する略二等辺三角形を含む形状を有し、孔部および／または凹部とその風下側に隣接する孔部からなる。（Ｄ）上記略二等辺三角形の頂角は７０°未満である。【選択図】図９
2020204113.tif 000002
【特許請求の範囲】
【請求項１】
下記（Ａ）〜（Ｄ）を満たす受風冷却シート。
（Ａ）受風冷却シートは受風側から受風した気流を冷却対象側に流す通風孔を有する。
（Ｂ）受風面側から受風した気流を通風孔から通風させることにより、受風面とは反対の面側にある冷却対象を冷却する。
（Ｃ）上記通風孔の開口部は、上記受風冷却シートの受風面側からみたとき、風上側に頂点、風下側に底辺を有する略二等辺三角形を含む形状を有し、孔部および／または凹部とその風下側に隣接する孔部からなる。
（Ｄ）上記略二等辺三角形の頂角は７０°未満である。
【請求項２】
さらに下記式１を満たす請求項１記載の受風冷却シート。
（ｗ２／ｗ１）≧１．１０  ・・・  （式１）  
（ｗ１は受風冷却シートの受風面側から受風面に対し、受風角９０°で通風したときの出口風速であり、ｗ２は受風角６０°以上９０°未満の範囲で、上記略二等辺三角形の頂部が風上側となるように通風したときのピーク出口風速を示す。）
【請求項３】
受風面からみたときの前記孔部の面積が０．２ｍｍ２以上である請求項１または２記載の受風冷却シート。
【請求項４】
フラジール法（ＪＩＳ  Ｌ１０９６：２０１０）で測定した通気度が２００ｃｍ３／ｃｍ２／ｓ以上であることを特徴とする請求項１〜３のいずれかに記載の受風冷却シート。
【請求項５】
上記略二等辺三角形の頂点から底辺方向に向けて受風するように用いられる請求項１〜４のいずれか記載の受風冷却シート。
【請求項６】
少なくとも脇部、肩部、二の腕部、大腿部、下腿部から選択される部位の少なくとも一部に請求項１〜５のいずれかに記載の受風冷却シートが配置されており、上記略二等辺三角形の頂点が、歩行または走行時の進行方向に向くように配されている衣服。
【請求項７】
少なくとも脇部、肩部、二の腕部、大腿部、下腿部から選択される部位の少なくとも一部の表層が請求項１〜５のいずれかに記載の受風冷却シートで被覆されており、上記略二等辺三角形の頂点が、歩行または走行時の進行方向に向くように配されている衣服。
【請求項８】
請求項１〜５のいずれかに記載の受風冷却シートを用いてなり、他の服の上から重ねて着用するための外衣であって前記略二等辺三角形の頂点が、歩行または走行時の進行方向に向くように配されている外衣。
【請求項９】
収納部とベルト部を備えた鞄であって、前記ベルト部は背負いベルトおよび／または肩掛けベルトからなり、かつ、少なくとも使用者の身体に当接する部分に請求項１〜５のいずれか記載の受風冷却シートの前記略二等辺三角形の頂点が、歩行または走行時の進行方向に向くように、当該受風冷却シートが配されている鞄。
【請求項１０】
請求項１〜５のいずれか記載の受風冷却シートを、上記略二等辺三角形の頂点が、歩行または走行時の進行方向に向くように配されたアッパー材を用いた靴。
【請求項１１】
側面または上部に、請求項１〜５のいずれか記載の受風冷却シートが、上記略二等辺三角形の頂点が歩行または走行時の進行方向に向くように配されている帽子。
【発明の詳細な説明】
【技術分野】
【０００１】
本発明は受風冷却シートならびにそれを用いた衣服、外衣、鞄、靴および帽子に関する。
【背景技術】
【０００２】
冷却とは物体から熱を奪うことにより温度を下げ、その奪った熱を別の場所へ放出する過程をいう。これまでにスポーツなどの運動時において、冷却効果を得るために様々な検討がなされている。特にスポーツなどの運動時、人の体温が高温度になる環境下において、放熱が発汗となって現れることにより体温を下げる働きをしている。発汗することは、恒温動物である人間の体温を一定に保つことにより身体機能を維持する極めて重要な生理現象であるが、汗を掻くことで肌へのべた付きや臭いなどの不快感を覚える。この問題を解決するために高い通気性の生地、例えば孔部を有したメッシュ状の素材を用いることで冷却効果を高め、ひいては発汗現象を抑制することにより冷却感を得る方法（例えば特許文献１、特許文献２）が提案されている。
【０００３】
また、冷却感と相関性のある高通気性を実現するシートとして、孔部を有することによりその効果を得る方法（例えば特許文献３、特許文献４）が提案されている。
【先行技術文献】
【特許文献】
【０００４】
【特許文献１】特許第５０６１８７３号公報
【特許文献２】特開２０１３−１７４０４０号公報
【特許文献３】特開２００３−３３５６号公報
【特許文献４】特開２０００−１５７３２号公報
【発明の概要】
【発明が解決しようとする課題】
【０００５】
しかしながら、特許文献１のような孔部を有する高通気度の織編物の場合、孔部の正面から受風した場合には、ある程度の冷却効果を奏するが、ランニング時等、風を切って走る際、生地の側面、例えば衣服の脇部や肩部の様に生地に対して直角以外の方向から受風する場合、その冷却効果は十分といえず、空気の発汗による身体温度の上昇に対する冷却効果としては、その冷却効果は十分とはいえなかった。特許文献２では衣服のゆとりによる換気と生地の通気度による冷却感が謳われているが、ゆとりは人の動きが加わって初めて効果を得られるものであり、同文献記載の衣服を用いてランニングなどをする場合においてはさらなる改良が望まれるものであった。
【０００６】
また、特許文献３は孔部を有した立体編物を用いた、通気性の乗物用シート関する発明が記載されているが、このものは受風により受風面と反対側の冷却対象を冷却するものではない。また、特許文献４についてもラッセル編み等の編物（主にメッシュ組織）と他の部材を組み合わせる際に厚みを薄くしたものであるが、このものも編物に対し、正面以外の方向から受風した際に、反対側にある冷却対象を冷却する効果は十分とはいえなかった。
【０００７】
本発明の課題は、上記の従来の技術の問題点を解決し、ウォーキング、ジョギング、ランニング等の風を受ける着用シーンにおいて風の取り込み効果を高め、優れた冷却効果を有する受風冷却シート、衣服、外衣、鞄、靴および帽子を提供することにある。
【課題を解決するための手段】
【０００８】
前記の課題が解決できる本発明の孔部を有する布帛およびそれを用いた衣服は以下の構成よりなる。
【０００９】
（１）下記（Ａ）〜（Ｄ）を満たす受風冷却シート。
（Ａ）受風冷却シートは受風側から受風した気流を冷却対象側に流す通風孔を有する。
（Ｂ）受風面側から受風した気流を通風孔から通風させることにより、受風面とは反対の面側にある冷却対象を冷却する。
（Ｃ）上記通風孔の開口部は、上記受風冷却シートの受風面側からみたとき、風上側に頂点、風下側に底辺を有する略二等辺三角形を含む形状を有し、孔部および／または凹部とその風下側に隣接する孔部からなる。
（Ｄ）上記略二等辺三角形の頂角は７０°未満である。
【００１０】
（２）さらに下記式１を満たす（１）記載の受風冷却シート。
（ｗ２／ｗ１）≧１．１０  ・・・  （式１）  
（ｗ１は受風冷却シートの受風面側から受風面に対し、受風角９０°で通風したときの出口風速であり、ｗ２は受風角６０°以上９０°未満の範囲で、上記略二等辺三角形の頂部が風上側となるように通風したときのピーク出口風速を示す。）
【００１１】
（３）受風面からみたときの前記孔部の面積が０．２ｍｍ２以上である（１）または（２）記載の受風冷却シート。
【００１２】
（４）  フラジール法（ＪＩＳ  Ｌ１０９６：２０１０）で測定した通気度が２００ｃｍ３／ｃｍ２／ｓ以上であることを特徴とする（１）〜（３）のいずれかに記載の受風冷却シート。
【００１３】
（５）上記略二等辺三角形の頂点から底辺方向に向けて受風するように用いられる（１）〜（４）のいずれか記載の受風冷却シート。
【００１４】
（６）少なくとも脇部、肩部、二の腕部、大腿部、下腿部から選択される部位の少なくとも一部に（１）〜（５）のいずれかに記載の受風冷却シートが配置されており、上記略二等辺三角形の頂点が、歩行または走行時の進行方向に向くように配されている衣服。
【００１５】
（７）少なくとも脇部、肩部、二の腕部、大腿部、下腿部から選択される部位の少なくとも一部の表層が（１）〜（５）のいずれかに記載の受風冷却シートで被覆されており、上記略二等辺三角形の頂点が、歩行または走行時の進行方向に向くように配されている衣服。
【００１６】
（８）（１）〜（５）のいずれかに記載の受風冷却シートを用いてなり、他の服の上から重ねて着用するための外衣であって前記略二等辺三角形の頂点が、歩行または走行時の進行方向に向くように配されている外衣。
【００１７】
（９）収納部とベルト部を備えた鞄であって、前記ベルト部は背負いベルトおよび／または肩掛けベルトからなり、かつ、少なくとも使用者の身体に当接する部分に（１）〜（５）のいずれか記載の受風冷却シートの前記略二等辺三角形の頂点が、歩行または走行時の進行方向に向くように、当該受風冷却シートが配されている鞄。
【００１８】
（１０）（１）〜（５）のいずれか記載の受風冷却シートを、上記略二等辺三角形の頂点が、歩行または走行時の進行方向に向くように配されたアッパー材を用いた靴。
【００１９】
（１１）側面または上部に、請求項１〜５のいずれか記載の受風冷却シートが、上記略二等辺三角形の頂点が歩行または走行時の進行方向に向くように配されている帽子。
【発明の効果】
【００２０】
本発明の受風冷却シートは、孔形状を所定の範囲に設定し、生地の孔部に風が通過する際にタテ渦ができ負圧が形成されることで、受風冷却シートの受風面に対して正面から真っすぐに(垂直方向に)あてた場合（受風角度を９０°とした場合）に比べ、風の流れる方向に対してシートが斜めになる様に風をあて（受風角度を６０°以上９０°未満とした場合）、且つ略二等辺三角形の頂点から風を受けるようにすることによって出口風速が大きくなり、風の取り込み効果が得られる。その結果、本発明の冷却シートは冷却対象に対し、優れた冷却効果を有する。
【００２１】
そして本発明の受風冷却シートを用いた衣服は、前記の風の取り込み効果によって、優れた冷却効果を有し、ランニングウェアなどのスポーツウェアとして非常に有用である。また、このシートを鞄のベルトや、シューズのアッパー材、帽子の一部に配置することでも風の取り込み効果によって優れた冷却効果を得ることができる。
【図面の簡単な説明】
【００２２】
【図１】図１ａ、ｂ、ｃ、ｄは、本発明において、略二等辺三角形を含む形状の好ましい態様を示す例である。
【図２】図２ａ、ｂ、ｃ、ｄ、は図１における略二等辺三角形における等辺が直線ではない場合の態様を示す例である。
【図３】図３は凹部とその風下側に隣接する孔部の好ましい一例を示す概念説明図である。
【図４】図４はＮＡＣＡダクトの風を引き込む様子を示した概念説明図である。
【図５】図５は人体が受風する様子を示した概念説明図である。
【図６】図６は略二等辺三角形の理想的なくびれ形状を説明する説明図である。
【図７】図７は風速測定に用いる流路の全体斜視図である。
【図８】図８ａは風速測定に用いる流路を説明するための上面図であり、図８ｂは側面からみた断面図である。
【図９】図９は実施例１で得た生地の表面のマイクロスコープ写真である。
【図１０】図１０は実施例２で得た生地の表面のマイクロスコープ写真である。
【図１１】図１１は実施例３で得た生地の表面のマイクロスコープ写真である。
【図１２】図１２は実施例４で得た生地の表面のマイクロスコープ写真である。
【図１３】図１３は実施例５で得た生地の表面のマイクロスコープ写真である。
【図１４】図１４は比較例１で得た生地の表面のマイクロスコープ写真である。
【図１５】図１５は比較例２で得た生地の表面のマイクロスコープ写真である。
【図１６】図１６は比較例３で得た生地の表面のマイクロスコープ写真である。
【発明を実施するための形態】
【００２３】
本発明の受風冷却シートは下記（Ａ）〜（Ｄ）を満たすものである。
（Ａ）受風冷却シートは受風側から受風した気流を冷却対象側に流す通風孔を有し、
（Ｂ）受風面側から受風した気流を受風孔から通風させることにより、受風面とは反対の面側にある冷却対象を冷却する。
（Ｃ）上記通風孔の開口部は、上記受風冷却シートの受風面側からみたとき、風上側に頂点、風下側に底辺を有する略二等辺三角形を含む形状を有し、孔部および／または凹部とその風下側に隣接する孔部からなる。
（Ｄ）上記略二等辺三角形の頂角は７０°未満である。
【００２４】
以下本発明の受風冷却シートについて詳述する。
【００２５】
本発明において、「受風冷却」シートとは、受風面から受風することにより、受風面とは反対側の面、すなわち裏面の冷却対象を冷却するものである。
【００２６】
本発明の受風冷却シートは、受風側から受風した気流を冷却対象側に流す通風孔を有するが、その通風孔の開口部は、上記受風冷却シートの受風面側からみたとき、風上側に頂点、風下側に底辺を有する略二等辺三角形を含む形状を含む形状を有し、孔部および／または凹部とその風下側に隣接する孔部からなる。
【００２７】
略二等辺三角形を含む形状としては、略二等辺三角形そのもの、略二等辺三角形と他の形状が略二等辺三角形の底辺で複合した形状を有するものが挙げられる。すなわち、略二等辺三角形と他の形状が略二等辺三角形の底辺で複合した形状は、略二等辺三角形の２本の等辺とそれにより形成される頂角に相当する形状とその他の形状が複合した形状である。
【００２８】
図１ａ、ｂ、ｃ、ｄは、本発明において、略二等辺三角形を含む形状の好ましい態様を示す例である。図１ａは略二等辺三角形の１例であり、頂点１１ａと二本の等辺１２ａおよび底辺１３ａからなる。図１ｂは、略ひし形の１例であり、頂点１１ｂと二本の等辺１２ｂおよび底辺１３ｂからなる略二等辺三角形が二つ、底辺１３ｂを軸として対称に複合した形状を有する。図１ｃは、略ひし形の別の１例であり、先端がやや平らになった頂点１１ｃと二本の等辺１２ｃおよび底辺１３ｃからなる略二等辺三角形が二つ、底辺１３ｃを軸として対称に複合した形状を有する。図１ｄは、楕円形の１例であり、頂点１１ｄと二本の等辺１２ｄおよび底辺１３ｄからなる略二等辺三角形が二つ、底辺１３ｄを軸として対称に複合した形状を有する。
【００２９】
本発明において、上記略二等辺三角形の頂角は７０°未満であり、６０°以下であることが好ましく、５０°が好ましい。また下限としては２０°であることが好ましい。上記頂角が上記範囲にあると通風孔を通過する気流がタテ渦を作り負圧を形成しやすい点で好ましい。
【００３０】
上記において、略二等辺三角形、略ひし形等における「略」とは、厳密に二等辺三角形、ひし形等の形状を有している必要はなく、ほぼその形を有していればよい。具体的には、二等辺三角形の等辺の長さ、底角が厳密に等しい必要はなく、本発明の効果を損ねない範囲、好ましくは左右の底角の差が４０°未満の範囲で、ゆがみがあってもよい。また、頂角等、角の部分についても、本発明の効果を損ねない範囲であれば、丸みを帯びていてもよい。
【００３１】
また、図１中直線で描かれた部分は、必ずしも直線である必要はなく、図２のように繊維の緩みや交錯による曲線を形成していてもよい。図２ａ、ｂ、ｃ、ｄ、は図１における略二等辺三角形における等辺が直線ではない場合の態様を示す例である。図２ａは略二等辺三角形は二つの等辺が曲線となった例であり、等辺２２ａが内側に凸となった曲線を有する例であり、同様に図２ｂは略ひし形、図２ｃは略多角形、図２ｄは略楕円形についても内側に凸となった曲線を有する形状の例である。その場合の頂角は孔部の最大幅を底辺とし、底辺の中点から垂線を引き、孔の端部を頂点として底辺に向かって２本の等辺を引いた二等辺三角形として決定すればよい。なお、受風冷却シートに形成した開口形状にゆがみがあり、垂線を引いたとき、垂線と頂点が重ならない場合は、底辺の中心点から頂点へ直線を引くようにする。
【００３２】
そして上記通風孔の開口部は、受風冷却シートの受風面側からみたとき、略二等辺三角形を含む形状を有し、孔部および／または凹部とその風下側に隣接する孔部からなる。すなわち、受風冷却シートの受風面から見た通風孔は、孔部および／または孔部と凹部で形成される開口部を有する。受風面側からみた開口部の形状を以下開口形状と称する。なお、開口部が孔部と凹部で形成される場合は、孔部と凹部が複合した形状が開口形状である。本発明においては、この開口形状が略二等辺三角形を含む形状を有する。凹部とは受風冷却シートの受風面に接する水平面を想定したとき、当該水平面よりも窪んだ部分をいう。
【００３３】
通風孔が、略二等辺三角形を含む形状を有する孔部で構成される場合、略二等辺三角形の頂点部分から底辺方向（風下）に向けて、受風した気流が裏面に抜ける。
【００３４】
仮に通風孔の開口形状が、略二等辺三角形の底辺が底辺を軸に対称に複合した略ひし形である場合など、実質孔部のみで構成されている場合などは、略二等辺三角形を含む開口形状を有する通風口が複数複合した態様ともいえる。この場合は、略二等辺三角形の頂点が複数存在することになり、この場合においては、一つの頂点を風上にして吹く風、別の頂点を風上にして吹く風のいずれの場合も冷却効果を得ることができる点で好ましい。
【００３５】
また、凹部とその風下側に隣接する孔部とは、図３で示すように、略二等辺三角形を含む形状中、略二等辺三角形の頂点を含む一部分を凹部３１で形成し、その風下に隣接して孔部３２を形成する態様である。受風面の略二等辺三角形の頂点３３部分から凹部３１を抜け、孔部３２を通って裏面に向けて受風した気流が流れる。なお、凹部３１と孔部３２の界面と略二等辺三角形の底辺は一致していてもよいし、一致していなくてもよい。この開口部における孔部の数は一つの略二等辺三角形に対し通常一つであるが、本発明の効果を損なわない限り、一つでなくてもよい。また、この開口部における凹部の数は、一つの略二等辺三角形に対し、通常一つであるが、本発明の効果を損なわない限り、一つでなくてもよい。開口部が複数の略二等辺三角形の複合形状である場合、孔部は共用してもよい。
【００３６】
受風冷却シートが織編物等の繊維構造体で構成される場合、孔の風上側に配された凹部にも複数の繊維の交錯による細かい孔が形成されるが、組織全体として凹部とみなし、ここでは非孔部として扱う。
【００３７】
本発明の受風冷却シートは上記受風孔を有するので、受風面側から受風した気流を受風孔から通風させることにより、受風面とは反対の面、反対の面側にある冷却対象を効率よく冷却することができる。
【００３８】
なお上記受風冷却シートとしては、本発明の効果を損なわない限り、織物、編物、不織布、ネット等の繊維構造物の他、押出成形、あるいは射出成形により得られる多孔、あるいはネット状の樹脂シート等であってもよい。
【００３９】
本発名の受風冷却シートを構成する素材としては、本発明で規定する通風口を有するシートを構成することができる限り制限はない。具体的にはポリエチレンテレフタレート、ポリエチレンナフタレート、ポリトリメチレンテレフタレート、ポリブチレンテレフタレート等のポリエステル、ナイロン６、ナイロン６６などのポリアミド、ポリウレタン、ポリイミド等の熱可塑性樹脂を用いることが、賦形の自由度が高い点で好ましい。
【００４０】
本発明の受風冷却シートを繊維構造物で構成する場合、繊維としてはポリエチレンテレフタレート、ポリエチレンナフタレート、ポリトリメチレンテレフタレート、ポリブチレンテレフタレート等のポリエステル繊維、ナイロン６、ナイロン６６などのポリアミド繊維、ポリウレタンン繊維、ポリイミド繊維等を用いることができ、なかでもポリエステル繊維はしわになりにくく、孔形状が安定しやすいことから好ましい。
【００４１】
また、上記繊維としては、受風した気流がタテ渦を作り負圧を形成する観点から、通風孔の壁面において、毛羽や凹凸は少なくし、滑らかにすることが好ましいので、単繊維よりは長繊維が好ましく、捲縮糸よりはフラットな生糸を用いることが好ましい。綿などの天然繊維や合成繊維の単繊維を用いても構わないが、その場合は毛羽などで壁面の滑らかさを損なわないように、例えば撚りを入れることが好ましい。
【００４２】
そして、上記繊維を用いて上記通風孔を有する受風冷却シートを形成する。受風冷却シートを構成する繊維構造物は、上記通風孔が形成されていれば、一層構造でも二層構造でも構わない。二層構造にする場合、一層毎に孔部を設け、位置と大きさを調整することにより、凹部とそれに隣接する孔部を形成することができる。例えば、受風面側の層（以下受風面の層と称する）に略二等辺三角形を含む形状の孔を形成し、受風面とは反対側の面側の、受風面の層に形成した略二等辺三角形を含む形状の頂角側部分に対応する部分に、非孔部を配することで凹部を形成し、これに隣接した部分に孔部を形成して、受風面側で受風した気流を通風させるように配することで、凹部とそれに隣接する孔部を形成することができる。このようにして通風孔を構成すると、受風した気流が、斜め方向に貫通するようになる。
【００４３】
通風孔が孔である場合、一重構造でもよいし、二重等の多重構造とし、厚みをもたせてもよい。
【００４４】
好ましい編組織としては、鹿の子やメッシュ組織、パワーネット組織等が挙げられる。
【００４５】
好ましい織物組織としては模写織、からみ織が挙げられる。
【００４６】
不織布を用いる場合には、例えば、ベルト状でウェブを形成する際、ベルト上、孔を形成するように所定形状のピン等を設置し、通風孔を有する不織布を製造すればよい。
【００４７】
また、本発明の受風冷却シートは、繊維構造体以外にも所定の形状に多孔化あるいはネット化した射出成形シートや、押出シートを用いることも可能である。押出シートとする場合には、型抜きをして孔を形成したり、部分的に熱圧縮するなど圧縮して薄肉部を形成するなどにより所望の通風孔を形成することも可能である。
【００４８】
なお、上記受風冷却シートは、後述するように衣服、外衣、鞄、靴等に用いる観点からは、しなやかさに優れるものが好ましい。具体的には用途に応じて適宜決定されるが、ＪＩＳ  Ｌ  １０９６：２０１０「織物及び編物の生地試験方法」８．２１項に記載のＡ法（カンチレバー法）で測定した剛軟度が２５．０ｃｍ以下の範囲が好ましく、１０．０ｃｍ以下の範囲であるものが更に好ましい。
【００４９】
本発明の受風冷却シートは、上記構成を採用することにより、受風冷却シートに対して斜めの方向から受風する場合に効率よく冷却対象を冷却することができ、好ましい態様において、下記式１を満たすことが可能である。
（ｗ２／ｗ１）≧１．１０  ・・・  （式１）  
（ｗ１は受風冷却シートの受風面側から受風面に対し、受風角９０°（受風面に対し垂直方向）で通風したときの出口風速であり、ｗ２は受風角６０°以上９０°未満の範囲で、上記略二等辺三角形の頂部が風上側となるように通風したときのピーク出口風速を示す。）
【００５０】
さらに好ましい態様においては、（ｗ２／ｗ１）≧２．００を満たすことも可能である。
【００５１】
最も好ましい態様においては、下記式２を満たすことも可能である。
（ｗ２／ｗ０）＞１．００・・・  （式２）  
（ｗ２は受風角６０°以上９０°未満の範囲で、上記略二等辺三角形の頂部が風上側となるように通風したときのピーク出口風速を示し、ｗ０はその際の入口風速を示す。）
【００５２】
上記式２を満たすということはすなわち、受風した気流が受風冷却シートを通過することにより、加速されることを意味し、極めて高い冷却効果を発揮することが可能である。
【００５３】
これは、受風冷却シートにおける通風孔をいわゆるＮＡＣＡダクトに近い形状とすることにより、略二等辺三角形の等辺で構成される広がり形状からタテ渦を発生させ、その負圧により風を引き込むことが可能となるためと考えられる。
【００５４】
ＮＡＣＡダクトとは、空気を取り入れるためのエアインテークであり、アメリカ航空諮問委員会（ＮＡＣＡ）で開発された技術である。エアインテークとは、エンジンで発した熱を冷やすために外気を取り入れ、効率的に発熱部に風を誘導するものである。このＮＡＣＡダクトは、上から見ると三角形で、奥に行くにつれて横幅が増える形状であり、空気の入り口は長方形である。この奥に行くにつれて横幅が増えるという広がり形状によりタテ渦を発生させ、その負圧によって空気を引き込み、効率よく空気を取り組める構造となっている。本発明はこのＮＡＣＡダクトの構造をもとに受風冷却シートに応用し、新しい用途として衣服、鞄、靴、帽子等において優れた冷却効果を付与し得ることを見いだしたものである。
【００５５】
本発明の受風冷却シートが冷却効果を生み出すメカニズムとしては以下のことが考えられる。
【００５６】
本発明の受風冷却シートの開口部は、受風面側からみたとき、開口形状が通風孔の形状を風上側に頂点、風下側に底辺を有する略二等辺三角形を含む形状であり、孔部および／または凹部とその風下側に隣接する孔部を有する。この形状はいわゆるＮＡＣＡダクトに近い孔形状となる。
【００５７】
本発明の受風冷却シートは、この形状を有することにより、シートに対して真正面から受風をする場合に比して、シートに対して斜めから吹く風を受けた時に、より大きな出口風速を得ることができる。
【００５８】
これは受風する角度によって負圧吸引効果が生まれ、より多くの風を取り込むことができる。この点について図４を用いて説明する。図４は、ＮＡＣＡダクトの風を引き込む様子を示した概念説明図である。ここでいう負圧吸引効果とは、風の出口の幅Ｌ２を入り口の幅Ｌ１より大きくすると、出口の圧力Ｐ２（負圧）が入り口の圧力Ｐ１（静圧）よりも低くなることで風の流入効果が高まることであり、広がり形状によりタテ渦を発生させその負圧によって空気を引き込み、効率良く空気を取り込む。
【００５９】
本発明の冷却シートは、通常受風冷却シートが受風する角度を特定範囲にすることで、負圧吸引による風の取り込み効果を高めることができる。受風冷却シートに対し風が９０°未満の角度で、略二等辺三角形の頂点方向から等辺方向に向けて通風すると、等辺部分の広がり形状によりタテ渦が発生し、その負圧によって風を引き込むという効果が発生する。特に６０°以上９０°未満の間で受風する場合に、９０°で受風する場合に比較してより多くの風を引き込む効果が高い。
【００６０】
上記詳細について図５で説明する。図５は人体が受風する様子を示した概念説明図であり、具体的には走行中に受風する様を示したものである。胴部５１は、走行中上体が起き正面から受風すると身体に対し風が９０°で当たることになり、前傾姿勢で走行すると、体に対する風が９０℃未満となるが、９０°未満である場合は上記のとおり風を引き込む効果が高くなる。
【００６１】
また、肩部５２は正面からの風が肩上部を通り後方へ流れていく。個人差により体格に微差は生じるが、肩部は、胸元付近から６０°〜７０°の角度で緩やかな曲線を描いていることから、この部位に本シートを配することで風の引き込み効果が生まれ、受風による冷却効果が実現できる。脇部５３、頭部５４、足部５５も肩部と同様、６０°以上９０°未満の角度であることから受風による冷却効果を実現することができる。
【００６２】
本発明において、受風冷却シートに設けた通風孔は、上記のような負圧吸引を引き起こしやすくするため、受風面側からみたときの形状を略二等辺三角形を含む形状を有する孔部、および／または凹部とその風下側に隣接する孔部が設けられている。
【００６３】
この略二等辺三角形の等辺は、必ずしも直線ではなくてもよいことは前述のとおりであるが、くびれを有する場合に特に有効である。頂点から底辺に垂線を引いた座標にした場合、くびれは垂線の頂点から底辺に向かい３８％地点で外側に凸する。また、８０％地点で内側に凸する。このくびれ形状について図表にあらわしたものを図６に示す。図６は略二等辺三角形の理想的なくびれ形状を説明する説明図であり、略二等辺三角形の底辺の中点から引いた垂線をＸ軸、底辺をＹ軸、底辺の中点を原点（０，０）とし、目盛りは底辺と垂線の比率を５．００：８．０５としたときの一方の等辺を座標として示したものである。等辺をこのような形状とした場合には、いわゆるＮＡＣＡダクトにおいて理論的に有効とされる形状に極めて近くなり、顕著な効果を発揮する。とはいえ、繊維構造体で受風冷却シートを構成する場合、正確に上記形状をトレースすることは困難であるので、熱セットなどで縦方向に延伸することにより略二等辺三角形の等辺にくびれを持たせるように構成すれば、十分な効果を得ることができる。この場合、上記における理想形３８％地点は、概ね３３〜４３％地点で相応の効果が得られる、また、上記８０％地点は概ね７５％〜８５地点で相応の効果が得られる。
【００６４】
ひとつの孔部（表面から裏面へ貫通した開口部）の大きさは０．２ｍｍ２以上が好ましいが、上限は特に制限するものではない。通常は０．２ｍｍ２から５００．０ｍｍ２の範囲が好ましい。更に好ましくは０．２ｍｍ２から３．０ｍｍ２の範囲である。この範囲であれば、十分な冷却効果を得ることができる。
【００６５】
また、本発明の受風冷却シートにおける孔の数は、複数であることが十分な通気を得る点で好ましい。
【００６６】
負圧吸引を引き起こし、冷却感を得るためには、ある程度の通気度を有することが好ましい。通気度は２００ｃｍ３／ｃｍ２／ｓ以上になるように設計することが好ましい。通気度は３００ｃｍ３／ｃｍ２／ｓ以上がより好ましく、更に好ましくは４００ｃｍ３／ｃｍ２／ｓ以上である。なお、ここでいう通気度はＪＩＳ  Ｌ  １０９６：２０１０「織物及び編物の生地試験方法」８．２６項に記載のＡ法により測定されるあたいである。
【００６７】
かくして得られる本発明の受風冷却シートは、斜め方向からの風に対し、極めて高い冷却効果を有するので、例えば歩行、走行等の運動をする際の衣服、帽子、靴等の着用品や鞄等身につけて用いる雑貨類に用いることで、運動時の発熱を効率よく冷却することできる。その際には、使用時、受風頻度が高い方向において、通風孔における略二等辺三角形の頂点が風上側となるよう配することで高い冷却効果が得られる。
【００６８】
具体的には、上記略二等辺三角形の頂点が、歩行または走行時の進行方向に向くように配されているよう、着用品や雑貨類に配置することが好ましい。
【００６９】
本発明において好ましい用途として、例えばランニングウェアが挙げられる。ランニングウェアを着用して歩行または走行するとき、胴体部分は正面から受風するのに対し、肩部、脇部、二の腕部など受風角度は鋭角になる。つまり本発明の受風冷却シート肩部、脇部、二の腕部等の部分に、略二等辺三角形の頂点から風を受けるように配置することでより多くの風を引き込み、より高い冷却効果を得ることが出来る。ランニングウェア以外の衣服においても、歩行、走行時に、運動量に応じて発する体熱を、効率よく冷却することが可能であり、同様の効果を得ることができることはいうまでもない。
【００７０】
また、本発明の受風冷却シートを、衣服の肩部、脇部、二の腕部等の部分に、この受風身体冷却シートの通風孔における略二等辺三角形の頂点から風を受けるように被覆することも有効である。このとき上記略二等辺三角形の頂点が、歩行または走行時の進行方向に向くように配されていることが好ましい。これにより外側の受風冷却シートを通った風が、内側の衣服にあたり冷却することが可能である。さらに運動などで発汗した際、汗は衣服に浸透し表面に拡散されて乾いていくが、本発明の身体冷却シートによって被覆された前記の一般的な衣服に吸収された汗の乾燥を促進し、前期の一般的な衣服とともに身体も同時に冷却させることが出来る。
【００７１】
同様の理由で、一般的な衣服の上から重ね着する方法も有効である。すなわち、本発明の受風冷却シートを用い、他の服の上から重ねて着用するための外衣に用いる場合、内側の衣服にあたり冷却することが可能である。なお、受風冷却シートの略二等辺三角形の頂点は、歩行または走行時の進行方向に向くように配されていることが好ましい。このような外衣としては、ビブスや、ジャンパー、カーディガン等の外衣等が好ましく挙げられる。少なくとも脇部、肩部、二の腕部、大腿部、下腿部から選択される部位の少なくとも一部に用いられていると有効な冷却効果を奏するので好ましい。全体に用いられていてももちろん差し支えない。
【００７２】
なお、通風孔が凹部と孔部で構成されている受風冷却シートは気流の通路が受風冷却シートの厚みに対して、斜めに貫通する孔となる。そのためこれを衣服などに利用する場合、風の方向と受風冷却シート中を斜めに貫通した孔が平行になるよう配置することが好ましい。
【００７３】
衣服以外の用途として、まず鞄のベルト部に用いることも好ましい。鞄は通学や通勤など、年齢性別を問わず日常的に使用する頻度が高いものである。背負い式ベルトおよび／または肩掛け式ベルトを備えた鞄がよく用いられるが、特に夏場などはベルト部と身体の間に蒸れを生じ不快感を覚える。ベルト部に身体冷却シートを通風孔の略二等辺三角形の頂点から風を受けるように配して使用することで風の引き込み効果を発生させ、鞄の背裏と身体の間に風を効率的に流すことで蒸れ感が解消することが可能である。このとき上記略二等辺三角形の頂点が、歩行または走行時の進行方向に向くように配されていることが好ましい。
【００７４】
また、靴のアッパー材としても有効である。一般的に市販されているランニングシューズにはメッシュ状の生地が配置されており蒸れによる不快感を抑制しているが、靴に対し、真正面から風があたるのはつま先部分で、ごく小さな面積であり、甲部等大部分は斜めから風を受ける。したがって、本発明の受風冷却シートを、通風孔における略二等辺三角形の頂点から風を受けるように用いることで風の引き込み効果を発生させ、さらに冷却効果を高め靴内部における蒸れ感をよりいっそう抑制することが出来る。このとき上記略二等辺三角形の頂点が、歩行または走行時の進行方向に向くように配されていることが好ましい。
【００７５】
帽子の側面または上部に使用することも有効である。外出時、特に夏場などの炎天下においては熱中症予防で帽子を着用するが、頭皮からの発汗によって帽子内部は非常に蒸れやすい。時折帽子を脱いで蒸れ感を抑制することがあるが、その効果は  帽子を再着用したのち直ぐに失われてしまう。歩行または走行で風を鋭角に受ける側面または上部に身体冷却シートを配置することにより、風の引き込み効果を生み出すことにより、更に強い冷却感を得ることで汗による蒸れ感を抑制することが出来る。このとき上記略二等辺三角形の頂点が、歩行または走行時の進行方向に向くように配されていることが好ましい。
【実施例】
【００７６】
［各種試験・評価方法］
Ａ．受風冷却シートの出口風速
受風冷却シートの出口風速は、以下のようにして測定する。測定には流路を用いる。流路の詳細について図７、図８に示す。図７は風速測定に用いる流路の全体斜視図であり、図８ａは風速測定に用いる流路を説明するための上面図であり、図８ｂは側面からみた断面図である。
【００７７】
長さ２０ｃｍ、幅７ｃｍ、高さ１０ｃｍ、天井部を有しない直方体型の流路７１を準備する。その最端部から、長さ方向に風を流し、風速計７２（日本カノマックス株式会社製  ｍｏｄｅｌ６５０１）を用いて風速を測定する。流路７１を形成する素材は風を逃がさない材質を用いることが好ましく、また乱流の発生を防止するために、表面が滑らかな樹脂板であることが好ましい。下記評価においてはアクリル樹脂製の樹脂板を用いた。
【００７８】
まず、流路の最端部に小型ファン７３（株式会社空調服社製  ＦＮＰ−５００）と、流路最端部から流路７１中央に向かって１３ｃｍ（図８ａ）、高さ５ｃｍ（図８ｂ）の位置に風速計７２を取り付ける。測定試料７４を専用枠型にリラックスした状態で貼り付け、隙間が出来ないように流路最端部から１０ｃｍの位置の底面に設置し、小型ファンから毎秒２２リットルの風を流路の長手方向に対して平行にかつ測定試料（実施例で用いた試料においては、通風孔における二等辺三角形の頂点が風上に向くようにセットした。具体的には図９〜図１６において、測定試料７４を傾けたとき写真の上から下の方向に風が向くようにセットした。）の表面に当たるように流し、測定試料７４の奥側にある上記位置に設置された風速計７２を用いて出口風速を測定する。毎秒２２リットルの送風はランニング時を想定したものである。
【００７９】
試料を流路底面から垂直に設置したとき、すなわち底面に対し９０°のときの出口風速をｗ１（ｍ／ｓｅｃ）とし、試料を流路底面から出口方向に傾けて設置したとき（６０°以上９０°未満）のピーク時の出口風速をｗ２（ｍ／ｓｅｃ）として測定する。
【００８０】
また、入り口風速は、幅方向中央、高さ５ｃｍ、最端部から１０ｃｍ、測定試料７４を底面に対し垂直に設置したとき、表面に密着する位置で測定し、その結果は２．００ｍ／ｓｅｃであった。
【００８１】
Ｂ．通気度
受風冷却シートの通気度は、ＪＩＳ  Ｌ  １０９６：２０１０「織物及び編物の生地試験方法」８．２６項に記載のＡ法（フラジール形法：差圧１２５Ｐａ）に準じて測定した。
【００８２】
Ｃ．頂角
受風冷却シートが有する孔部の頂角は、マイクロスコープ（株式会社ＫＥＹＥＮＣＥ社製  ＶＨＸ−２０００）にリラックスした状態で設置し、画像解析機能を用い測定する。なお、頂角はランダムに選定した５か所の平均値とする。
【００８３】
Ｄ．孔部面積、凹部の面積
受風冷却シートが有する孔部の面積および凹部の面積は、マイクロスコープ（株式会社ＫＥＹＥＮＣＥ社製  ＶＨＸ−２０００）にリラックスした状態で設置し、画像解析機能を用い測定する。なお、孔部面積、凹部面積は、それぞれランダムに選定した５か所の平均値とする。
【００８４】
Ｅ．剛軟度
剛軟度はＪＩＳ  Ｌ  １０９６：２０１０「織物及び編物の生地試験方法」８．２１項に記載のＡ法（カンチレバー法）で測定した。
【００８５】
その結果、実施例１〜５、比較例１〜３で得られた生地もしくはシートの剛軟度はいずれも９ｃｍ以下であった。
【００８６】
実施例１
ラッシェル編機（４２インチ（１０６．６８ｃｍ）、１８ゲージ）を用い、ポリエチレンテレフタレートの生糸（１６７ｄｔｅｘ、４８フィラメント）を使用し、全面に略ひし形の孔部を有した二層構造の生機を編成し、一般的な染色仕上げ加工を施し、図９に示す略ひし形の開口形状を有する生地を得た。この生地は表層と裏層が同一の組織であり、それらを互い違いに配することで、表層の孔部と裏層の糸部が重なった一つの平均面積（凹部面積）が１．２９ｍｍ２のくぼみと、表層と裏層の孔部が重なった孔部ｂを併せ持つものであった。受風側となるくぼみ側の頂角ａはランダムに選定した５点の平均値が３２．６°であり（９ａ）、受風側と対称角に有する気流を受風面と反対側へ流す開口部の一つの平均面積が０．７３ｍｍ２であり（９ｂ）、生地の通気度４９５ｃｍ３／ｃｍ２／ｓであった。
【００８７】
実施例２
ラッシェル編機（４２インチ（１０６．６８ｃｍ）、１８ゲージ）を用い、ポリエチレンテレフタレートの生糸（１６７ｄｔｅｘ、４８フィラメント）を使用し、全面に略ひし形の孔部を有した二層構造の生機を編成し、一般的な染色仕上げ加工を施し、図１０に示す略ひし形の開口形状を有する生地を得た。この生地は表層と裏層が同一の組織であり、それらを互い違いに配することで、表層の孔部と裏層の糸部が重なった一つの平均面積（凹部面積）が２．８５ｍｍ２のくぼみと、表層と裏層の孔部ｂが重なった開口部を併せ持つものであった。受風側となるくぼみ側の頂角ａはランダムに選定した５点の平均値が５９．９°であり（１０ａ）、受風側と対称角に有する気流を受風面と反対側へ流す開口部の一つの平均面積が１．３０ｍｍ２であり（１０ｂ）、生地の通気度６９６ｃｍ３／ｃｍ２／ｓであった。
【００８８】
実施例３
ラッシェル編機（４２インチ（１０６．６８ｃｍ）、１８ゲージ）を用い、ポリエチレンテレフタレートの仮撚り加工糸（８４ｄｔｅｘ、３６フィラメント）を使用し、全面に略ひし形の孔部を有した二層構造の生機を編成し、一般的な染色仕上げ加工を施し、図１１に示す略ひし形の開口形状を有する生地を得た。この生地は表層と裏層が同一の組織であり、それらを互い違いに配することで、表層の孔部と裏層の糸部が重なった一つの平均面積（凹部面積）が１．３２ｍｍ２のくぼみと、表層と裏層の孔部が重なった孔部ｂを併せ持つものであった。受風側となるくぼみ側の頂角ａはランダムに選定した５点の平均値が３７．２°であり（１１ａ）、受風側と対称角に有する気流を受風面と反対側へ流す開口部の一つの平均面積が０．５８ｍｍ２であり（１１ｂ）、生地の通気度４３６ｃｍ３／ｃｍ２／ｓであった。
【００８９】
実施例４
ラッシェル編機（４２インチ（１０６．６８ｃｍ）、１８ゲージ）を用い、ポリエチレンテレフタレートの仮撚り加工糸（８４ｄｔｅｘ、３６フィラメント）を使用し、全面に略ひし形の孔部を有した二層構造の生機を編成し、一般的な染色仕上げ加工を施し、図１２に示す略ひし形の開口形状を有する生地を得た。この生地は表層と裏層が同一の組織であり、それらを互い違いに配することで、表層の孔部と裏層の糸部が重なった一つの平均面積（凹部面積）が１．３６ｍｍ２のくぼみと、表層と裏層の孔部ｂが重なった開口部を併せ持つものであった。受風側となるくぼみ側の頂角ａはランダムに選定した５点の平均値が５７．１°であり（１２ａ）、受風側と対称角に有する気流を受風面と反対側へ流す開口部の一つの平均面積が０．８７ｍｍ２であり（１２ｂ）、生地の通気度５１４ｃｍ３／ｃｍ２／ｓであった。
【００９０】
実施例５
樹脂成型機を用い、モノフィラメントを交点で融着させた、全面に略ひし形の孔部を有したシートを作製し、図１３に示す略ひし形の、ひとつの平均面積が６．７２ｍｍ２の孔部を有する通気度８００ｃｍ３／ｃｍ２／ｓ以上のシートを得た。孔部形状は、略ひし形の孔部を上半分の二等辺三角形にした場合、頂角ａはランダムに選定した５点の平均値が４１°（１３ａ）であった。
【００９１】
比較例１
ラッシェル編機（４２インチ（１０６．６８ｃｍ）、１８ゲージ）を用い、ポリエチレンテレフタレートの仮撚り加工糸（１６７ｄｔｅｘ、４８フィラメント）を使用し、全面に格子状の孔部ｃを有した生機を編成し、一般的な染色仕上げ加工を施し、図１４に示す格子型の、ひとつの平均面積が０．７０ｍｍ２（１４ａ）の孔部を有する通気度３７２ｃｍ３／ｃｍ２／ｓ、の生地を得た。
【００９２】
比較例２
ラッシェル編機（４２インチ（１０６．６８ｃｍ）、１８ゲージ）を用い、ポリエチレンテレフタレートの仮撚り加工糸（８４ｄｔｅｘ、３６フィラメント）を使用し、全面に略多角形の孔部を有した生機を編成し、一般的な染色仕上げ加工を施し、図１５に示す略多角形の、ひとつの平均面積が１．７２ｍｍ２の孔部を有する通気度４３６ｃｍ３／ｃｍ２／ｓ、の生地を得た。孔部の最大幅を底辺とし、底辺の中点から垂線を引き、孔の端部を頂点とした二等辺三角形の頂角ａは１１０．７°であった（１５ａ）。
【００９３】
比較例３
ラッシェル編機（４２インチ（１０６．６８ｃｍ）、１８ゲージ）を用い、ポリエチレンテレフタレートの仮撚り加工糸（５６ｄｔｅｘ、３６フィラメント）とポリウレタン（４４ｄｔｅｘ）を使用し、複数の微細な孔部を有したメッシュ状の生機を編成し、一般的な染色仕上げ加工を施し、図１６に示すメッシュ状の、ひとつの平均面積が０．０５ｍｍ２の（１６ａ）孔部ｃを有するが、風上側に頂点、風下側に底辺を有する略二等辺三角形を含む形状は有さず、通気度３６６ｃｍ３／ｃｍ２／ｓの生地を得た。
【００９４】
上記の、実施例１〜５と比較例１〜３で得られた生地等のシート（以下シートと総称する場合もある）の性能を評価した結果を表１にまとめて示す。受風角度が９０°のときの出口風速をｗ１、８０°から６０°のときのピーク時の出口風速をｗ２としたとき、実施例１〜５で得られたシートは全て（ｗ２／ｗ１≧１．１０）の式を満たしており、つまりはシートを出口方向に傾けて設置した場合、出口風速ｗ２（ｍ／ｓｅｃ）はシートを底面に対し９０°に設置した時の出口風速ｗ１（ｍ／ｓｅｃ）よりも大きくなることを発見した。特に実施例２と実施例５で得たものは（ｗ２／ｗ０）＞１．００）の式を満たしており、つまりはシートを出口方向に傾けて設置した場合、出口風速ｗ２（ｍ／ｓｅｃ）は入口風速ｗ０（ｍ／ｓｅｃ）よりも大きくなるものであった。通常、風に対してシートを斜めにした場合、孔面積が狭くなることから出口風速は９０°に比べ受風角が鋭角になるほど低くなると考えられるが、実施例１〜５においては逆に高い数値を示した。この原因として孔部壁面でタテ渦が生じ、負圧が生まれたことで出口風速が加速したためだと考える。
【００９５】
一方、比較例で得られたシートについては、シートを出口方向に傾けて設置した場合、出口風速ｗ２（ｍ／ｓｅｃ）はシートを底面に対し９０°に設置した時の出口風速ｗ１（ｍ／ｓｅｃ）よりも小さい値を示した。比較例１は受風角が鋭角になるほど出口風速が減少しており、これは格子状の孔部を有することから受風する孔部の面積が狭くなったことが原因であると考えられ、また格子状であることから実施例のような負圧を生み出すことができないための結果であると考えられる。比較例２は実施例３や実施例４と同等の通気度であり、受風角を鋭角にしたときピーク時の出口風速は僅かに増加したが、頂角が１１０．７°と大きいことで理想的な負圧効果を生み出すに至らなかったことが原因であると考える。比較例３は風上側に頂点、風下側に底辺を有する略二等辺三角形を含む形状を有しない、微細な孔部の集合体であった。通気度は比較例１と同等であるものの出口風速ｗ２（ｍ／ｓｅｃ）は入口風速ｗ０（ｍ／ｓｅｃ）の２割程度までに制限された。
【００９６】
これは風上側に頂点、風下側に底辺を有する略二等辺三角形を含む形状を有さないことに原因があると考えられ、また。孔部の面積が小さいことも相俟って、出口風速は大きくならなかったものと考えられる。
【００９７】
【表１】
2020204113.tif 000003
【００９８】
実施例１〜５と比較例１〜３で得られたシートを用いてアームカバーを作製し、被験者５名の左腕に着用して毎秒２２リットルの風を７０°または８０°の角度から付与し、風が加速することで本当に冷却感を得られるか検証を行った。結果を表２に示す。表２から分かるように、実施例で得たシートについては多くが涼しいと感じているのに対し、比較例で得たシートは１名を除き涼しさを感じることはできていないことから、実施例のシートは効果的に冷却感を得ることができたと言える。
【００９９】
【表２】
2020204113.tif 000004
【０１００】
上記評価における評価基準は下記のとおりである。
【０１０１】
評価基準：１．やや温かい。
【０１０２】
２．温かい。
【０１０３】
３．どちらでもない。
【０１０４】
４．涼しい。
【０１０５】
５．とても涼しい。
【産業上の利用可能性】
【０１０６】
本発明の受風冷却シートは、特定の通風孔を有することで、風を当てる角度に応じて、顕著な風の取り込み効果が得られる。本発明のシートを用いた衣服や外衣は、前記の風の取り込み効果によって、優れた冷却効果を有し、ランニングウェアなどのスポーツウェアとして非常に有用である。また、本発明のシートを鞄のベルト部、シューズのアッパー材、帽子の側面または上部などに配置することで風の取り込み効果による優れた冷却効果を得ることが出来る。
【符号の説明】
【０１０７】
１１ａ、１１ｂ、１１ｃ、１１ｄ：頂点
１２ａ、１２ｂ、１２ｃ、１２ｄ：等辺
１３ａ、１３ｂ、１３ｃ、１３ｄ：底辺
２２ａ：等辺
３１：凹部
３２：孔部
３３：受風面の略二等辺三角形の頂点
Ｐ１：入り口の圧力
Ｐ２：出口の圧力
Ｌ１：入り口の幅
Ｌ２：出口の幅
５１：胴部
５２：肩部
５３：脇部
５４：頭部
５５：足部
７１：流路
７２：風速計
７３：小型ファン
７４：測定試料
ａ：頂角
ｂ：孔部
ｃ：孔部
【図１】
2020204113.tif 000005
【図２】
2020204113.tif 000006
【図３】
2020204113.tif 000007
【図４】
2020204113.tif 000008
【図５】
2020204113.tif 000009
【図６】
2020204113.tif 000010
【図７】
2020204113.tif 000011
【図８】
2020204113.tif 000012
【図９】
2020204113.tif 000013
【図１０】
2020204113.tif 000014
【図１１】
2020204113.tif 000015
【図１２】
2020204113.tif 000016
【図１３】
2020204113.tif 000017
【図１４】
2020204113.tif 000018
【図１５】
2020204113.tif 000019
【図１６】
2020204113.tif 000020